(57)【要約】【課題】  施設不良の発生を防止する低圧引留がいしを提供する。【解決手段】  低圧電線に接続された引留グリップ９６の折り返し部を支持する低圧引留がいし１０１は、絶縁性の本体部２０と、リング部３０とを備える。本体部２０は、ボルト通し穴２７が中心に形成された筒状を呈し、軸方向の中央部に引留グリップ９６を案内する周方向の案内溝２５が形成されている。リング部３０は、本体部２０の径方向の一方側に設けられ、引留グリップ９６が折り返し部において挿通可能な挿通穴３５が形成されている。この低圧引留がいし１０１を用いた施設作業では、例えば、開放された引留グリップ９６の一端をリング部３０の挿通穴３５に通してから、他端と撚り合わせ、低圧電線に接続する。これにより、引留グリップ９６の折り返し部が案内溝２５から逸脱する施設不良の発生を防止することができる。【選択図】図４
2018056065.tif 000002
【特許請求の範囲】
【請求項１】
低圧電線（９５）に接続された引留グリップ（９６）の折り返し部を支持する低圧引留がいしであって、
ボルト通し穴（２７）が中心に形成された筒状を呈し、軸方向の中央部に前記引留グリップを案内する周方向の案内溝（２５）が形成された絶縁性の本体部（２０、２９）と、
前記本体部の径方向の一方側に設けられ、前記引留グリップが折り返し部において挿通可能な挿通穴（３５、４５）が形成されたリング部（３０、４０）と、
を備えることを特徴とする低圧引留がいし。
【請求項２】
前記本体部の軸方向の一方及び他方の端面（２１、２２）は、互いに平行に配置された二枚の支持板（７１、７２）にそれぞれ対向し、且つ、
前記リング部の前記本体部とは反対側の背壁部（３６、４６）は、前記二枚の支持板を連結し前記二枚の支持板と共に支持具（７０）を構成する背板（７３）、又は、前記二枚の支持板が固定される腕金（９１）の一面に対向するように配置されており、
前記リング部は、各前記支持板との隙間、及び、前記背板もしくは前記腕金との隙間を小さくするように形成されていることを特徴とする請求項１に記載の低圧引留がいし。
【請求項３】
前記本体部（２０）と前記リング部（３０）とは、磁器材料で一体に形成されていることを特徴とする請求項１または２に記載の低圧引留がいし。
【請求項４】
磁器材料で形成された前記本体部（２９）と、
前記本体部とは別体に形成され、前記本体部に装着されたとき前記リング部を構成するアタッチメント（４０）と、
を備えることを特徴とする請求項１または２に記載の低圧引留がいし。
【請求項５】
請求項４に記載の低圧引留がいしに用いられるアタッチメントであって、
樹脂材料で形成され、
前記本体部の軸方向両端部に被さる二つのキャップ部（４１、４２）と、
前記二つのキャップ部から側方に延びる二つのアーム部（４３、４４）と、
前記二つのアーム部を連結し、前記本体部に装着されたとき前記案内溝の底との間に前記挿通穴（４５）を形成する背壁部（４６）と、
を備え、
前記背壁部と前記二つのアーム部との接続部（４３５、４４５）は、前記二つのアーム部及び二つのキャップ部が外側に広がるように弾性変形可能に形成されていることを特徴とする低圧引留がいし用アタッチメント。
【発明の詳細な説明】
【技術分野】
【０００１】
本発明は、低圧電線に接続される引留グリップの折り返し部を支持する低圧引留がいしに関する。
【背景技術】
【０００２】
架設された低圧電線を電柱等に引き留める施設作業においては、低圧電線に接続された引留グリップを、電柱の腕金等に支持具を介して固定された低圧引留がいしの案内溝に装着する作業が行われる。この低圧引留がいしは、特許文献１の図３、特許文献２の図６等に開示されている。
【先行技術文献】
【特許文献】
【０００３】
【特許文献１】特開２００１−７８３４０号公報
【特許文献２】特開平１１−１７８１７９号公報
【発明の概要】
【発明が解決しようとする課題】
【０００４】
従来の低圧引留がいしを用いた引留グリップの施設方法を図７に示す。
従来の低圧引留がいし２９は、磁器製で、ボルト通し穴２７が中心に形成された筒状を呈している。筒の外壁には、軸方向の中央部を挟んで両側に鍔部２３、２４が周設されている。それにより、鍔部２３、２４の間となる軸方向中央部に周方向の案内溝２５が形成される。案内溝２５の底は、断面形状が略円弧である滑らかな曲面状となっている。
【０００５】
電柱の腕金等に取り付けられ、低圧引留がいし２９を支持する金属製の支持具７０は、互いに平行に配置された二枚の支持板７１、７２、及び、二枚の支持板７１、７２を連結する背板７３を有する。低圧引留がいし２９は、軸方向の両端面２１、２２が二枚の支持板７１、７２の間に挟まれた状態で、第２支持板７２の穴７２５、ボルト通し穴２７、第１支持板７１の穴７１５を貫通するボルト７７がナット７８に螺合されることにより、支持具７０に支持される。支持具７０の内側の空間７５には引留グリップ９６の位置を規制するものは無い。
【０００６】
引留グリップ９６は、低圧電線９５に接続される側との反対側が半周旋回する折り返し部となっている。折り返し部は、素線９７の表面にコーティングが施されたコーティング線９８で構成されている。ただし、このコーティング線９８は、低圧電線９５の電圧に対し十分な絶縁性を有するものではない。
図７（ａ）に示すように、施設作業が正規に実施された状況では、引留グリップ９６のコーティング線９８は、案内溝２５の底に接した状態で案内される。この状況では、引留グリップ９６が支持具７０等の金属部分に接触するおそれはない。
【０００７】
一方、図７（ｂ）に示す施設不良の場合には、引留グリップ９６の折り返し部でコーティング線９８が案内溝２５に収まらず、案内溝２５から逸脱した状態で施設される可能性がある。例えばＸ部に示すように、コーティング線９８が図の下側の鍔部２４を乗り越えて金属製の第２支持板７２に接触する可能性がある。このような施設不良の状況のまま低圧電線９５に通電すると、引留グリップ９６から支持具７０に電流が流れ、支持具７０が取り付けられた腕金や電柱に人が触れたとき感電するおそれがある。
本発明は、上述の問題に鑑みてなされたものであり、その目的は、施設不良の発生を防止する低圧引留がいしを提供することにある。
【課題を解決するための手段】
【０００８】
本発明は、低圧電線に接続された引留グリップの折り返し部を支持する低圧引留がいしであって、絶縁性の本体部と、リング部とを備える
本体部は、ボルト通し穴が中心に形成された筒状を呈し、軸方向の中央部に引留グリップを案内する周方向の案内溝が形成されている。
リング部は、本体部の径方向の一方側に設けられ、引留グリップが折り返し部において挿通可能な挿通穴が形成されている。
【０００９】
本発明の低圧引留がいしを用いた施設作業では、開放された引留グリップの一端をリング部の挿通穴に通してから、他端と撚り合わせ、低圧電線に接続する。これにより、引留グリップの折り返し部が案内溝から逸脱する施設不良の発生を防止することができる。
【００１０】
低圧引留がいしが支持される典型的な形態において、本体部の軸方向の一方及び他方の端面は、互いに平行に配置された二枚の支持板にそれぞれ対向する。また、リング部の本体部とは反対側の背壁部は、二枚の支持板を連結し二枚の支持板と共に支持具を構成する背板、又は、二枚の支持板が固定される腕金の一面に対向するように配置されている。
この支持形態を前提とし、リング部は、各支持板との隙間、及び、背板もしくは腕金との隙間を小さくするように形成されていることが好ましい。
【００１１】
これにより、支持具の形状や寸法によっては、リング部の外側に引留グリップが通過可能な空間が存在しなくなる。或いは、空間が存在したとしても小さな範囲に限定される。したがって、施設作業において、引留グリップを必ずリング部の挿通穴に挿通しなければならなくなるため、施設不良の発生をより確実に防止することができる。
【００１２】
本発明の低圧引留がいしは、本体部とリング部とが磁器材料で一体に形成される形態としてもよい。或いは、本体部とリング部とが樹脂材料で一体に形成される形態としてもよい。この形態では、引留グリップの逸脱防止機能を一つの部品で実現することができる。
【００１３】
或いは、低圧引留がいしは、磁器材料で形成された本体部と、本体部とは別体に形成され、本体部に装着されたときリング部を構成するアタッチメントと、を備える形態としてもよい。この形態では、既設の低圧引留がいしを流用し、アタッチメントのみを後付けすることで、引留グリップの逸脱防止機能を簡易に追加することができる。
その場合、低圧引留がいし用アタッチメントは、例えば樹脂材料で形成可能である。
【図面の簡単な説明】
【００１４】
【図１】第１実施形態による低圧引留がいしの斜視図である。
【図２】図１の低圧引留がいしの（ａ）：平面図、（ｂ）：側面図である。
【図３】低圧引留がいしの使用状態を示す電柱の図である。
【図４】低圧引留がいしに電線の引留グリップを施設した状態の（ａ）：（ｂ）のａ−ａ線断面図、（ｂ）：側面図である。
【図５】第２実施形態による低圧引留がいしの（ａ）：斜視図１、（ｂ）：斜視図２である。
【図６】図２の低圧引留がいしの（ａ）：平面図、（ｂ）：側面図である。
【図７】従来の低圧引留がいしの（ａ）：正規施設状態、（ｂ）：施設不良状態を示す図である。
【発明を実施するための形態】
【００１５】
以下、低圧引留がいしの複数の実施形態を図面に基づいて説明する。背景技術及び課題の欄で説明したように、低圧引留がいしは、低圧電線に接続された引留グリップの折り返し部を支持する絶縁性の部品である。
（第１実施形態）
第１実施形態の低圧引留がいしについて、図１〜図４を参照して説明する。
最初に、低圧引留がいし単体での構成を図１、図２に示す。第１実施形態の低圧引留がいし１０１は、本体部２０とリング部３０とが磁器材料で一体に形成されており、絶縁性を有している。
【００１６】
本体部２０の形状は、［発明が解決しようとする課題］の欄で説明した従来の低圧引留がいし２９（図７参照）の形状と基本的に同じである。すなわち、本体部２０は、ボルト通し穴２７が中心に形成された筒状を呈し、軸方向の中央部に、引留グリップを案内する周方向の案内溝２５が形成されている。その他、従来の低圧引留がいし２９と実質的に同一の構成には同一の符号を付して説明を省略する。
また、説明の便宜上、図１又は図２（ｂ）の向きに設置した状態を基本姿勢とし、端面２１側を上、端面２２側を下として記載する。
【００１７】
リング部３０は、本体部２０の径方向の一方側において、横向きの略Ｕ字状に設けられている。Ｕ字の両側直線部に相当する延長部３３、３４は、それぞれ、本体部２０の鍔部２３、２４から、高さ方向の厚みが同等で、且つ、水平方向の幅が鍔部２３、２４の直径から漸減するように、側方に延伸している。Ｕ字の底の曲線部に相当する背壁部３６は、延長部３３、３４の端部が約９０度ずつ内側に回転して連結した形状に形成されている。
本体部２０の案内溝２５の一部と、延長部３３、３４及び背壁部３６とに囲まれた筒状の空間は、挿通穴３５を構成する。挿通穴３５の大きさは、引留グリップが折り返し部において挿通可能な大きさとなっている。
【００１８】
延長部３３、３４の挿通穴３５とは反対側の面、すなわち、延長部３３の上面及び延長部３４の下面には、延長部３３、３４の幅方向の中心線に沿って突出するリブ３１、３２が設けられている。リブ３１、３２の高さ方向の端面は、本体部２０の端面２１、２２と同一面に位置している。また、本体部２０から遠い側のリブ３１、３２の端面は、背壁部３６の背面と同一面に位置している。リブ３１、３２の機能については、図４を参照して後述する。
【００１９】
次に図３、図４を参照し、低圧引留がいし１０１の使用状態を説明する。
図３に示すように、低圧引留がいし１０１は、電柱９０に取り付けられた水平方向の腕金９１や縦方向の腕金９２に装着され、低圧電線９５に接続された引留グリップ９６の折り返し部を支持する。
図３の上の２つの図は、低圧引留がいし１０１が二枚の支持板７１、７２を用いた直付方式７００により水平方向の腕金９１に装着された状態を示す。図３の下の図は、低圧引留がいし１０１が、コ字形の支持具７０等を介して縦方向の腕金９２に装着された状態を示す。
【００２０】
図４において、低圧引留がいし１０１の本体部２０がボルト７７及びナット７８により支持具７０に軸支される点や、引留グリップ９６の折り返し部が本体部２０の案内溝２５に案内される点は、図７に示す従来技術の構成と同様である。従来技術で説明した通り、引留グリップ９６の折り返し部は、素線９７の表面にコーティングが施されたコーティング線９８で構成されてはいるが、低圧電線９５の電圧に対し十分な絶縁性を有するものではない。
【００２１】
低圧引留がいし１０１が従来技術と異なる点は、引留グリップ９６が案内溝２５に案内されるのみでなく、引留グリップ９６の一端が開放された状態でリング部３０の挿通穴３５に挿通される点である。挿通穴３５に挿通された引留グリップ９６は可動範囲が規制されるため、従来技術の図７（ｂ）のように、コーティング線９８が案内溝２５を逸脱し支持板７１、７２に接触するという施設不良は発生し得ない。したがって、低圧電線９５に通電したとき、人が腕金９１、９２や電柱９０に触れて感電する事故を防止することができる。
【００２２】
また、低圧引留がいし１０１が支持具７０に軸支された状態では、リング部３０のリブ３１、３２の軸方向端面と支持板７１、７２とが対向し、背壁部３６と支持具７０の背板７３とが対向するように配置される。このとき、リング部３０の上側リブ３１の上面と第１支持板７１との隙間δ１、下側リブ３２の下面と第２支持板７２との隙間δ２、及び、背壁部３６と支持具７０の背板７３との隙間δ３は、好ましくは、いずれも引留グリップ９６の線径Ｄｗより小さくなるように形成されている。すなわち、リブ３１、３２は、延長部３３、３４と支持板７１、７２との隙間を可及的に埋める機能を有する。
【００２３】
これにより、施設作業において、リング部３０と支持具７０との間に引留グリップ９６を通そうとしても、引留グリップ９６が通過可能な空間は存在しないか、存在したとしても小さな範囲に限定される。したがって、挿通穴３５を挿通させない限り、引留グリップ９６を施設することは不可能となる。よって、施設不良を確実に防止することができる。
【００２４】
なお、図４（ｂ）、図７（ｂ）に図示する支持具７０は、金属板を折り曲げることで、上下の支持板７１、７２と背板７３とが一体に形成されている。このタイプの支持具７０の他、図３に示す直付方式７００により、上下の支持板７１、７２が腕金９１、９２の側面を直接挟むように固定されてもよい。その構成では、リング部３０の背壁部３６は、腕金９１、９２の一面に対向するように配置される。そして、背壁部３６と腕金９１、９２の対向面との隙間は、引留グリップ９６の線径Ｄｗより小さくなるように形成されることが好ましい。
【００２５】
（第２実施形態）
次に、第２実施形態の低圧引留がいしについて、図５、図６を参照して説明する。
第２実施形態の低圧引留がいし１０２は、磁器材料で形成された本体部２９と、本体部２９とは別体に樹脂材料で形成されたアタッチメント４０と、を備える。アタッチメント４０は、本体部２９に装着されたとき「リング部」を構成する。
本体部２９は、図７に示した従来技術の低圧引留がいしと実質的に同一である。
【００２６】
アタッチメント４０は、二つのキャップ部４１、４２、二つのアーム部４３、４４、及び、背壁部４６等を備える。
キャップ部４１、４２は、本体部２９の軸方向両端部に被さる。キャップ部４１、４２の中心には、ボルト通し穴２７に連通する穴４１５、４２５が形成されている。
アーム部４３、４４は、キャップ部４１、４２から側方に延びる。アーム部４３、４４及びキャップ部４１、４２の軸方向端面は、同一面に形成されている。
【００２７】
背壁部４６は、キャップ部４１、４２及びアーム部４３、４４に対しほぼ直交する平板状に形成されており、二つのアーム部４３、４４を連結する。
背壁部４６とアーム部４３、４４との接続部４３５、４４５は、外側の角に比較的小さな半径（Ｒ）で角丸めがされており、内側から角に向かってえぐり込むように凹溝が形成されている。そのため、角部の肉厚は、隣接する両側の肉厚に比べて局部的に薄くなっている。これにより、アーム部４３、４４及びキャップ部４１、４２は、肉厚の薄い接続部４３５、４４５を支点として、外側に広がるように弾性変形可能である。
【００２８】
したがって、アタッチメント４０の自然状態では、二つのキャップ部４１、４２の間隔は、本体部２９の軸方向両端面２１、２２間の長さよりも短いが、キャップ部４１、４２を軸方向外側に弾性変形させることで、本体部２９への装着が可能となる。また、一旦、本体部２９に装着されたアタッチメント４０は、故意に力が加えられない限り、自然に離脱するおそれはない。
【００２９】
こうしてアタッチメント４０が本体部２９に装着された状態で、背壁部４６の内壁は、本体部２９の鍔部２３、２４に近接する。そして、背壁部４６の内壁と本体部２９の案内溝２５の底との間に挿通穴４５が形成される。
第１実施形態と同様に、第２実施形態の低圧引留がいし１０２を用いた施設作業では、開放された引留グリップ９６の一端を挿通穴４５に通してから、他端と撚り合わせ、低圧電線９５に接続する。これにより、引留グリップ９６の折り返し部が案内溝２５から逸脱する施設不良の発生を防止することができる。
【００３０】
また、図６（ｂ）に示すように、アタッチメント４０の輪郭は、二点鎖線で示す支持具７０の内側寸法に合わせて形成されており、アタッチメント４０の外側には、引留グリップ９６が通過可能な空間は存在しないか、存在したとしても小さな範囲に限定される。したがって、施設作業において、施設不良の発生をより確実に防止することができる。
さらに第２実施形態は、従来の低圧引留がいし２９が施設された箇所での改修作業において既設の低圧引留がいし２９を流用し、アタッチメント４０のみを後付けすることで、引留グリップの逸脱防止機能を簡易に追加することができる。
【００３１】
（その他の実施形態）
（ａ）上記実施形態では、既存の支持具を流用する前提で、リング部と支持具との隙間を埋めるリブ３１、３２やアーム部４３、４４等の構造を低圧引留がいし１０１、１０２側に設けている。これに限らず、支持具の内側形状を低圧引留がいしの外側形状に合わせて製作してもよい。
【００３２】
（ｂ）第２実施形態のアタッチメント４０において、キャップ部４１、４２の一方又は両方に支持板７１、７２に係止可能な回り止め部を設けてもよい。これにより、直付方式７００、及び、コ字形の支持具７０を用いた取付方式のいずれでも、低圧引留がいし１０２の回転防止を図ることができる。
第２実施形態のアタッチメント４０は、キャップ部４１、４２が本体部２９の両端部の外周をすっぽり覆うように形成されているが、キャップ部は、ボルト通し穴２７の内壁に嵌合するように形成されてもよい。
また、アタッチメントは、鍔部２３、２４を径方向外側から抱きかかえるように本体部２９に装着される構成としてもよい。
【００３３】
（ｃ）アタッチメントは、一部品で構成するものに限らず、二つ以上の部品を組み合わせて構成してもよい。例えば、リング部を構成する部品を側方からスライドさせて本体部に装着した後、反対側から抜け止め用のロック部品を取り付けるようにしてもよい。このような構成であれば、本体部への取り付けのために弾性変形の機能を有する必要はない。
以上、本発明はこのような実施形態に限定されるものではなく、発明の趣旨を逸脱しない範囲において、種々の形態で実施することができる。
【符号の説明】
【００３４】
１０１、１０２・・・低圧引留がいし、
２０、２９・・・本体部、  ２５・・・案内溝、  ２７・・・ボルト通し穴、
３０・・・リング部、  ３５、４５・・・挿通穴、
４０・・・アタッチメント（リング部）、
７０・・・支持具、
９５・・・低圧電線、  ９６・・・引留グリップ。
【図１】
2018056065.tif 000003
【図２】
2018056065.tif 000004
【図３】
2018056065.tif 000005
【図４】
2018056065.tif 000006
【図５】
2018056065.tif 000007
【図６】
2018056065.tif 000008
【図７】
2018056065.tif 000009